(57)【要約】【課題】端子を大型化させたり、極力複雑化させたりすることなく、接触抵抗を低減させることのできる接点接続構造を提供する。【解決手段】インデント部４が突設された箱部２と、タブ部１２とを有し、インデント部４がタブ部１２の接触面１２ａ上を摺動し、端子挿入完了位置では、インデント部４が第２接点部１２に接触する接点接続構造であって、インデント部４のタブ部１２の接触面１２ａ側に、周方向に連続する周回突条４ａを階段状に設ける。【選択図】図３
2015225705.tif 000002
【特許請求の範囲】
【請求項１】
インデント部が突設された第１接点部と、第２接点部とを有し、前記インデント部が前記第２接点部の接触面上を摺動し、端子挿入完了位置では、前記インデント部が前記第２接点部に接触する接点接続構造であって、
前記インデント部の前記第２接点部の接触面側に、周方向に連続する周回突条を階段状に設けた、
ことを特徴とする接点接続構造。
【請求項２】
インデント部が突設された第１接点部と、第２接点部とを有し、前記インデント部が前記第２接点部の接触面上を摺動し、端子挿入完了位置では、前記インデント部が前記第２接点部に接触する接点接続構造であって、
前記インデント部の前記第２接点部の接触面側に、周方向に連続する周回突条を階段状に有する突起を、少なくとも１つ設けた、
ことを特徴とする接点接続構造。
【発明の詳細な説明】
【技術分野】
【０００１】
この発明は、第１端子と第２端子との間の電気的接続を行う接点接続構造に関するものである。
【背景技術】
【０００２】
図８および図９には、従来の接点接続構造を適用したメス端子５１とオス端子６１とが示されている（類似技術として特許文献１参照）。
【０００３】
図８および図９に示すように、メス端子５１は、四角形状の箱部５２と、箱部５２に一体に設けられ、箱部５２内に配置された弾性撓み部５３とを有している。
弾性撓み部５３には、箱部５２の底面部５２ａ側に向かって突出するインデント部５４が設けられている。
【０００４】
インデント部５４は、外周面がほぼ球面形状で、中心の頂点が最下方に位置している。
なお、図８および図９では、図示が省略されているが、メス端子５１の外面の全域には、高温環境下での接続信頼性の向上、腐食環境下での耐食性の向上等の観点からメッキ（例えば、錫メッキ）が施され、メッキ層が設けられている。
【０００５】
図８および図９に示すように、オス端子６１は、平板状のタブ部６２を有している。
なお、図８および図９では、図示が省略されているが、オス端子６１の外面の全域には、高温環境下での接続信頼性の向上、腐食環境下での耐食性の向上等の観点からメッキ（例えば、錫メッキ）が施され、メッキ層が設けられている。
【０００６】
上記のようにメッキ（錫メッキ）し、その後にリフロー処理を行うと、次のような構造となる。
銅合金材の母材の外面側にメッキ層（銅／錫合金層、錫メッキ層）が形成されるとともに、メッキ層の外面に酸化膜が形成される。
【０００７】
上記した構成において、図８の位置に位置するオス端子６１のタブ部６２をメス端子５１の箱部５２内へ挿入すると、タブ部６２に押されることによって弾性撓み部５３が撓み、変形することにより、タブ部６２の挿入が許容される。
タブ部６２の挿入過程では、弾性撓み部５３のインデント部５４がタブ部６２の接触面６２ａ上を摺動し、端子挿入完了位置では、図９に示すように、弾性撓み部５３のインデント部５４と、タブ部６２の接触面６２ａとが接触する。
【０００８】
上記のように、インデント部５４がタブ部６２の接触面６２ａ上を摺動すると、弾性撓み部５３の撓み復帰力が接触荷重として作用することにより、図１０（ａ），（ｂ）（インデント部５４に形成されたメッキ層、酸化膜の図示は省略されている。）に示すように、インデント部５４に形成された酸化膜が破壊するとともに、タブ部６２に形成されたメッキ層６３が押し込まれることによって酸化膜６４が破壊する。
【０００９】
このように、各酸化膜６４が破壊すると、各酸化膜６４の割れ目からメッキの金属（例えば、錫）が吹き出すことにより、メス端子５１のインデント部５４と、オス端子６１のタブ部６２の接触面６２ａとが電気的に接触する。
そして、インデント部５４とタブ部６２との間を電流が流れることによってメス端子５１とオス端子６１との間が導通する。
【００１０】
なお、酸化膜６４は、錫や銅に較べて電気抵抗が非常に高い。
したがって、接触抵抗の低減を図るためには、酸化膜６４を破壊してメッキ同士の接触面（オーミック点）を多く作る必要がある。
【先行技術文献】
【特許文献】
【００１１】
【特許文献１】特開２００７−２８０８２５号公報
【発明の概要】
【発明が解決しようとする課題】
【００１２】
上記した従来の構造では、図１０（ｂ）に示すように、端子挿入完了位置における端子５１，６１同士の接触時にメッキ層６３の押し込み量を増やし、酸化膜６４の破壊を促進するためには、接触部間の接触圧を大きくすることが考えられるが、メッキ層６３が薄く、メッキ層６３の押し込み量が少ないので、各端子５１，６１が大型化したり、複雑化するという問題がある。
【００１３】
この発明は、上記した問題を解決すべくなされたものであり、端子を大型化させたり、極力複雑化させたりすることなく、接触抵抗を低減させることのできる接点接続構造を提供するものである。
【課題を解決するための手段】
【００１４】
この発明の接点接続構造は、インデント部が突設された第１接点部と、第２接点部とを有し、前記インデント部が前記第２接点部の接触面上を摺動し、端子挿入完了位置では、前記インデント部が前記第２接点部に接触する接点接続構造であって、前記インデント部の前記第２接点部の接触面側に、周方向に連続する周回突条を階段状に設けたことを特徴とする。
【００１５】
また、この発明の接点接続構造は、インデント部が突設された第１接点部と、第２接点部とを有し、前記インデント部が前記第２接点部の接触面上を摺動し、端子挿入完了位置では、前記インデント部が前記第２接点部に接触する接点接続構造であって、前記インデント部の前記第２接点部の接触面側に、周方向に連続する周回突条を階段状に有する突起を、少なくとも１つ設けたことを特徴とする。
【発明の効果】
【００１６】
この発明の接点接続構造によれば、第２接点部に形成された酸化膜に、周回突条が圧接することにより、第２接点部に形成された酸化膜が破壊される。
このように、第２接点部に形成された酸化膜が破壊されることにより、酸化膜の割れ目からメッキの金属（例えば、錫）が吹き出し、メッキ同士の接触部を多く確保することができる。
したがって、端子を大型化させたり、極力複雑化させたりすることなく、接触抵抗を低減させることができる。
【図面の簡単な説明】
【００１７】
【図１】この発明の第１実施例を示し、接続前のメス端子とオス端子の断面図である。
【図２】この発明の第１実施例を示し、接続後のメス端子とオス端子の断面図である。
【図３】この発明の第１実施例を示し、（ａ）は要部（インデント部）を示す斜視図に相当する説明図、（ｂ）は要部（インデント部）を示す平面図に相当する説明図、（ｃ）は要部（インデント部）を示す側面図に相当する説明図である。
【図４】この発明の第２実施例を示し、（ａ）は要部（インデント部）を示す斜視図に相当する説明図、（ｂ）は要部（インデント部）を示す平面図に相当する説明図、（ｃ）は要部（インデント部）を示す側面図に相当する説明図である。
【図５】この発明の第３実施例を示し、要部（インデント部）を示す斜視図に相当する説明図である。
【図６】この発明の第４実施例を示し、要部（インデント部）を示す斜視図に相当する説明図である。
【図７】この発明の第５実施例を示し、要部（インデント部）を示す斜視図に相当する説明図である。
【図８】従来例を示し、接続前のメス端子とオス端子の断面図である。
【図９】従来例を示し、接続後のメス端子とオス端子の断面図である。
【図１０】従来例を示し、メッキ層の変化を示す説明図である。
【発明を実施するための形態】
【００１８】
この発明の第１実施例を、図１〜図３を参照して説明する。
【００１９】
図１および図２に示すメス端子１は、メス側コネクタハウジング（図示省略）内の端子収容室に配置（収容）されている。
メス端子１は、所定形状に打ち抜かれた導電性金属（例えば、銅合金）を折り曲げ加工して形成されている。
【００２０】
メス端子１は、図１および図２に示すように、第１接点部である箱部２を有している。
箱部２は、前方（図１の左側）が開口した方形状である。
箱部２内には、箱部２の上面部より折り曲げられた弾性撓み部３が配置されている。
【００２１】
弾性撓み部３には、箱部２の底面部２ａ側に向かって突出するインデント部４が設けられている。
インデント部４は、外周面（箱部２の底面部２ａと対向する面）がほぼ球面形状で、中心の頂点が最下方に位置し、弾性撓み部３の弾性変形によって上方に変移する。
【００２２】
そして、インデント部４には、図３（ａ）〜（ｃ）に示すように、タブ部１２の接触面１２ａ側に、周方向に連続する周回突条４ａが複数設けられている。
複数の周回突条４ａは、例えば、同心円状の円板を順次重ねた形状（円形階段状）の稜線部分によって形成されている。
【００２３】
弾性撓み部３と、固定面部である箱部２の底面部２ａとは、間隔を置いて配置されている。
弾性撓み部３と、箱部２の底面部２ａとの間に、オス端子１１が挿入される。
メス端子１の外面には、後述する、導電性金属のメッキ層が形成されている。
【００２４】
オス端子１１は、オス側コネクタハウジング（図示せず）内の端子収容室に配置（収容）されている。
オス端子１１は、所定形状に打ち抜かれた導電性金属（例えば、銅合金）を折り曲げ加工して形成されている。
【００２５】
オス端子１１は、第２接点部であるタブ部１２を有している。
タブ部１２は、フラットな板形状である。
オス端子１１の外面には、後述する、導電性金属のメッキ層が形成されている。
【００２６】
次に、メス端子１と、オス端子１１のメッキ層について説明する。
【００２７】
メス端子１、オス端子１１のメッキ層は、銅合金材の母材の上に形成されている。
なお、メッキ（錫メッキ）し、その後にリフロー処理を行うと、銅合金材の母材の外面側にメッキ層（銅／錫合金層、錫メッキ層）が形成されるとともに、メッキ層の外面に酸化膜が形成される。
【００２８】
次に、メス端子１とオス端子１１との接続について説明する。
【００２９】
図１の位置に位置するオス端子１１のタブ部１２をメス端子１の箱部２内へ挿入すると、タブ部１２に押されることによって弾性撓み部３が撓み、変形することにより、タブ部１２の挿入が許容される。
タブ部１２の挿入過程では、弾性撓み部３のインデント部４がタブ部１２の接触面１２ａ上を摺動し、端子挿入完了位置では、弾性撓み部３のインデント部４がタブ部１２の接触面１２ａに圧接する。
【００３０】
上記のように、インデント部４がタブ部１２の接触面１２ａ上を摺動すると、弾性撓み部３の撓み復帰力が接触荷重として作用することにより、インデント部４に形成された酸化膜が破壊する。
また、端子挿入完了位置で、タブ部１２の接触面１２ａに、弾性撓み部３の撓み復帰力によってインデント部４が圧接することにより、周回突条４ａがタブ部１２の酸化膜に食い込むので、周回突条４ａによって酸化膜が破壊される。
【００３１】
このように、酸化膜が破壊されると、酸化膜の割れ目からメッキの金属（例えば、錫）が吹き出すことにより、メス端子１のインデント部４と、オス端子１１のタブ部１２の接触面１２ａとが電気的に接触する。
そして、インデント部４とタブ部１２との間を電流が流れることによってメス端子１とオス端子１１との間が導通する。
【００３２】
この発明の第１実施例によれば、タブ部１２に形成された酸化膜に、弾性撓み部３の撓み復帰力によってインデント部４の周回突条４ａが圧接することにより、タブ部１２に形成された酸化膜が破壊される。
このように、タブ部１２に形成された酸化膜が破壊されることにより、酸化膜の割れ目からメッキの金属（例えば、錫）が吹き出し、メッキ同士の接触部を多く確保することができる。
したがって、端子１，１１を大型化させたり、極力複雑化させたりすることなく、接触抵抗を低減させることができる。
【００３３】
この発明の第２実施例を、図４を参照して説明する。
なお、図４において、図１〜図３に示した部分と同一部分また相当部分には、同一符号が付してある。
【００３４】
この第２実施例が、図１〜図３に示した第１実施例と異なるところは、図４（ａ），（ｂ），（ｃ）に示すように、円柱状のインデント部４のタブ部の接触面側に、周方向に連続する複数の周回突条５ａを有する突起５が１つ形成されているところである。
複数の周回突条５ａは、例えば、同心円状の円板を順次重ねた形状（円形階段状）の稜線部分によって形成されている。
他の部分は、第１実施例と同様に構成されている。
【００３５】
次に、メス端子とオス端子との接続について、図１および図２を参照しながら説明する。
【００３６】
図１の位置に位置するオス端子１１のタブ部１２をメス端子１の箱部２内へ挿入すると、タブ部１２に押されることによって弾性撓み部３が撓み、変形することにより、タブ部１２の挿入が許容される。
タブ部１２の挿入過程では、弾性撓み部３のインデント部４がタブ部１２の接触面１２ａ上を摺動し、端子挿入完了位置では、弾性撓み部３のインデント部４がタブ部１２の接触面１２ａに圧接する。
【００３７】
上記のように、インデント部４がタブ部１２の接触面１２ａ上を摺動すると、弾性撓み部３の撓み復帰力が接触荷重として作用することにより、インデント部４に形成された酸化膜が破壊する。
また、端子挿入完了位置で、タブ部１２の接触面１２ａに、弾性撓み部３の撓み復帰力によってインデント部４が圧接することにより、突起５の周回突条５ａがタブ部１２の酸化膜に食い込むので、周回突条５ａによって酸化膜が破壊される。
【００３８】
このように、酸化膜が破壊されると、酸化膜の割れ目からメッキの金属（例えば、錫）が吹き出すことにより、メス端子１のインデント部４と、オス端子１１のタブ部１２の接触面１２ａとが電気的に接触する。
そして、インデント部４とタブ部１２との間を電流が流れることによってメス端子１とオス端子１１との間が導通する。
【００３９】
この発明の第２実施例によれば、タブ部１２に形成された酸化膜に、弾性撓み部３の撓み復帰力によって突起５の周回突条５ａが圧接することにより、タブ部１２に形成された酸化膜が破壊される。
このように、タブ部１２に形成された酸化膜が破壊されることにより、酸化膜の割れ目からメッキの金属（例えば、錫）が吹き出し、メッキ同士の接触部を多く確保することができる。
したがって、端子１，１１を大型化させたり、極力複雑化させたりすることなく、接触抵抗を低減させることができる。
【００４０】
この発明の第３実施例を、図５を参照して説明する。
なお、図５において、図１〜図４に示した部分と同一部分また相当部分には、同一符号が付してある。
【００４１】
この第３実施例が、図４に示した第２実施例と異なるところは、図５に示すように、円柱状のインデント部４のタブ部の接触面側に、周方向に連続する複数の周回突条５ａを階段状に有する突起５が複数形成されているところである。
他の部分は、第２実施例と同様に構成されている。
【００４２】
この発明の第３実施例の動作は第２実施例と同様になるので、第３実施例の動作の説明は、省略する。
そして、この発明の第３実施例においても、第２実施例と同様な効果を得ることができる。
【００４３】
この発明の第４実施例を、図６を参照して説明する。
なお、図６において、図１〜図５に示した部分と同一部分また相当部分には、同一符号が付してある。
【００４４】
この第４実施例が、図４に示した第２実施例と異なるところは、図６に示すように、球面状のインデント部４のタブ部の接触面側に、周方向に連続する複数の周回突条５ａを階段状に有する突起５が１つ形成されているところである。
他の部分は、第１実施例、第２実施例と同様に構成されている。
【００４５】
次に、メス端子とオス端子との接続について、図１および図２を参照しながら説明する。
【００４６】
図１の位置に位置するオス端子１１のタブ部１２をメス端子１の箱部２内へ挿入すると、タブ部１２に押されることによって弾性撓み部３が撓み、変形することにより、タブ部１２の挿入が許容される。
タブ部１２の挿入過程では、弾性撓み部３のインデント部４がタブ部１２の接触面１２ａ上を摺動し、端子挿入完了位置では、弾性撓み部３のインデント部４がタブ部１２の接触面１２ａに圧接する。
【００４７】
上記のように、インデント部４がタブ部１２の接触面１２ａ上を摺動すると、弾性撓み部３の撓み復帰力が接触荷重として作用することにより、インデント部４に形成された酸化膜が破壊する。
また、端子挿入完了位置で、タブ部１２の接触面１２ａに、弾性撓み部３の撓み復帰力によってインデント部４が圧接することにより、突起５の周回突条５ａがタブ部１２の酸化膜に食い込むので、周回突条５ａによって酸化膜が破壊される。
【００４８】
このように、酸化膜が破壊されると、酸化膜の割れ目からメッキの金属（例えば、錫）が吹き出すことにより、メス端子１のインデント部４と、オス端子１１のタブ部１２の接触面１２ａとが電気的に接触する。
そして、インデント部４とタブ部１２との間を電流が流れることによってメス端子１とオス端子１１との間が導通する。
【００４９】
この発明の第４実施例においても、第１実施例、第２実施例と同様な効果を得ることができる。
【００５０】
この発明の第５実施例を、図７を参照して説明する。
なお、図７において、図１〜図６に示した部分と同一部分また相当部分には、同一符号が付してある。
【００５１】
この第５実施例が、図６に示した第４実施例と異なるところは、図７に示すように、球面状のインデント部４のタブ部の接触面側に、周方向に連続する複数の周回突条５ａを階段状に有する突起５が複数形成されているところである。
他の部分は、第４実施例と同様に構成されている。
【００５２】
この発明の第５実施例の動作は第４実施例と同様になるので、第５実施例の動作の説明は、省略する。
そして、この発明の第５実施例においても、第４実施例と同様な効果を得ることができる。
【００５３】
上記した第２実施例、第３実施例において、インデント部４を円柱状とし、インデント部４のタブ部１２の接触面１２ａ側の面を平面とした例を示したが、また、第４実施例、第５実施例において、インデント部４を球面状（円弧面形状）とした例を示したが、インデント部の形状は、第２接点部（タブ部）の接触面側に突出した形状であれば、上記した形状以外の形状であってもよい。
このように、インデント部の形状を第２接点部（タブ部）の接触面側に突出した形状とした場合、突起５を、端子挿入完了位置におけるインデント部の、第２接点部（タブ部）の接触面に接触する頂部（頂部付近、頂部近傍）に設けるのが好ましい。
【符号の説明】
【００５４】
１      メス端子（第１端子）
２      箱部（第１接点部）
２ａ    底面部（固定面部）
３      弾性撓み部
４      インデント部
４ａ    周回突条
５      突起
５ａ    周回突条
１１    オス端子（第２端子）
１２    タブ部（第２接点部）
１２ａ  接触面
【図１】
2015225705.tif 000003
【図２】
2015225705.tif 000004
【図３】
2015225705.tif 000005
【図４】
2015225705.tif 000006
【図５】
2015225705.tif 000007
【図６】
2015225705.tif 000008
【図７】
2015225705.tif 000009
【図８】
2015225705.tif 000010
【図９】
2015225705.tif 000011
【図１０】
2015225705.tif 000012